(57)【要約】【課題】乳房をプッシュアップし、胸型を更に美しく整えるブラジャー構造が得られるブラジャーの構造を提供する。【解決手段】ブラジャー上に乳房に対し包覆固定作用を提供する左右カップを形成し、左右カップ上方にストラップを有する。ストラップは円状で、左右カップ両側が延伸したバックベルトと連接する。左右カップ内縁側辺に弾性片を増設結合し、弾性片上方とストラップ末端は連接し、外側、及び、下方は、左右カップ辺縁の形状に沿って、左右カップと重畳結合し、弾性片内側と左右カップ間に伸張空間を形成する。弾性片内に一つ以上の弾性塑片を包覆する。【選択図】図１
0003126836.tif 000002
【実用新案登録請求の範囲】
【請求項１】
ブラジャーの構造であって、ブラジャー上に乳房に対し包覆固定作用を提供する左右カップを形成し、前記左右カップ上方にストラップを有し、前記ストラップは円状で、前記左右カップ両側が延伸したバックベルトと連接し、着用時、前記ストラップの懸吊と、前記バックベルトの囲繞を利用し、前記左右カップが確実に乳房を包覆すると共に、乳房を保護し、その特徴は、
前記左右カップ内縁側辺に弾性片を増設結合し、前記弾性片上方と前記ストラップ末端は連接し、外側、及び、下方は、前記左右カップ辺縁の形状に沿って、前記左右カップと重畳結合し、前記弾性片内側と前記左右カップ間に伸張空間を形成すると共に、前記弾性片内に一つ以上の弾性塑片を包覆し、
上述の構造により、前記左右カップ内縁側辺に増設結合された弾性片を利用し、ブラジャー着用時、乳房外側周囲の贅肉と脂肪を内側に推入し、贅肉と脂肪が露出するのを防止して、乳房をプッシュアップすることを特徴とするブラジャーの構造。
【請求項２】
前記弾性片上に縦向けで一つ以上の弾性帯を設置し、ブラジャーに相同の効果を達成させることを特徴とする請求項１に記載のブラジャーの構造。
【考案の詳細な説明】
【技術分野】
【０００１】
本考案は、ブラジャーの構造に関するものであって、特に、乳房を包覆保護し、胸部を集中して上に持ち上げ、胸型を更に美しくするブラジャーの構造に関するものである。
【背景技術】
【０００２】
図６、図７で示されるように、ブラジャー３０は、乳房を適当に包覆するカップ３１、及び、カップ３１外側に延伸設置される背部のバックテープ３２からなる。バックテープ３２の緊束により、カッブ３１を定位置に維持させ、また、カップ３１とバックテープ３２の連接箇所に更に、乳房の外側に対し、持ち上げ作用を提供するサイドパネル３３を有して、乳房を全面的に包覆する効果と乳房を内側に集中させる効果を達する。
【０００３】
上述のような公知の構造は、実際の応用中に以下のような問題が存在する。サイドパネル３３が包覆する範囲は狭く、且つ、サイドパネル３３自身の弾性に頼るので、プッシュアップ効果が弱く、包覆後の乳房の贅肉や脂肪は活動時の動作が大きいと、その効果が失われる恐れがある。サイドパネル３３はカップ３１とバックベルト３２の連接交差箇所に設けられ、乳房外側の上半部に対してだけ包覆効果を達成し、乳房の下半部は支承作用がなく、着用後、胸型のプッシュアップ効果が充分でない。
【考案の開示】
【考案が解決しようとする課題】
【０００４】
本考案は、ブラジャーの構造を提供し、左右カップ内縁側辺に増設結合された弾性片を利用し、ブラジャー着用時、乳房外側周囲の贅肉や脂肪を内側に推入させ、贅肉や脂肪が露出するのを防止し、着用時の美観を増進して、不慮に露出した贅肉と脂肪がブラジャーのベルトにより不快感をもたらされるのを防止することを目的とする。
【０００５】
本考案は、ブラジャーの構造を提供し、弾性片とストラップが連接し、それが呈する一体性、並びに、左右カップの下方箇所に結合する故、ブラジャー着用時、弾性片全面の包覆を利用し、乳房下半分が集中され、ストラップによる上昇で、弾性素子を帯動して集中後の乳房を上に上昇させて、胸型を更に美しく整えることを目的とする。
【課題を解決するための手段】
【０００６】
本考案の構造は、ブラジャー上に乳房に対し包覆固定作用を提供する左右カップを形成し、左右カップ上方にストラップを有する。ストラップは円状で、左右カップ両側が延伸したバックベルトと連接する。左右カップ内縁側辺に弾性片を増設結合し、弾性片上方とストラップ末端は連接し、外側、及び、下方は、左右カップ辺縁の形状に沿って、左右カップと重畳結合し、弾性片内側と左右カップ間に伸張空間を形成する。弾性片内に一つ以上の弾性塑片を包覆する。
【考案の効果】
【０００７】
本考案の構造により、乳房をプッシュアップし、胸型を更に美しく整えるブラジャー構造が得られる。
【考案を実施するための最良の形態】
【０００８】
図１、図２で示されるように、ブラジャー１０上に、乳房に対し包覆固定作用を提供する左右カップ１１を有し、左右カップ１１上にストラップ１２を設置し、且つ、ストラップ１２は円状を呈すると共に、左右カップ１１両側に延伸したバックベルト１３と連接し、着用時、それぞれ、ストラップ１２の懸吊、及び、バックベルト１３の囲繞により、左右カップ１１が確実に乳房を包覆すると共に、乳房を保護する。また、左右カップ１１内縁側辺に弾性片２０を増設結合し、且つ、弾性片２０上方とストラップ１２末端は連接し、外側、及び、下方は、左右カップ１１辺縁の形状に沿って、左右カップ１１を重畳結合して、弾性片２０内側と左右カップ１１間は伸張空間２１を形成すると共に、弾性片２０内に、一つ以上の弾性塑片２２を包覆する。
【０００９】
図３、図４で示されるように、ブラジャー１０着用後、左右カップ１１が提供する包覆、ストラップ１２の懸吊、及び、バックベルト１３の囲繞緊束作用により、ブラジャー１０が着用者の上部分を維持して、乳房のプッシュアップ保護効果を達する以外に、左右カップ１１内縁側辺に増設結合された弾性片２０を利用し、乳房の外側周囲の贅肉や脂肪を内側に推入し、贅肉や脂肪が露出する現象を防止する。且つ、弾性片２０とストラップ１２は連接し、片状を呈すると共に、左右カップ１１下方に延伸結合するので、ブラジャー１０着用時、弾性片２０全体の包覆を利用し、乳房下半分が集中され、ストラップ１２によるアップ効果と共に、弾性片２０を帯動して乳房を集中させ、胸型を更に美しく整える。同時に、上胸部の曲線を補整し、弾性片２０内側と左右カップ１１間に伸張空間２１を形成し、且つ、弾性片２０内に弾性塑片２２を包覆して、ブラジャー１０着用時、この伸張空間２１の設計を利用するだけでなく、左右カップ１１が乳房と更に緊接して、弾性片２０が乳房を包覆する時、乳房の推圧を受けて、外側に伸張し、左右カップ１１が弾性片２０の伸張の牽引を受け、確実に、乳房上に貼近し、プロポーションを整える。弾性塑片２２の変形により、プッシュアップ効果が維持され、贅肉や脂肪は活動時の動作が大きくても、固定される。
【００１０】
図５で示されるように、弾性片２０上に縦向けに一つ以上の弾性帯２３を有し、ブラジャー１０に相同の効果を達成させる。
【００１１】
上述の実施例の構造により、以下のような効果を達成する。左右カップ１１内縁側辺に増設合された弾性片２０を利用し、ブラジャー１０着用時、乳房外側周囲の贅肉と脂肪を内側に推入し、贅肉と脂肪が露出するのを防止し、着用時の美観を増進する。また、不慮に露出した贅肉や脂肪がブラジャーベルトにより不快感をもたらされるのを防止する。弾性片２０とストラップ１２が連接し、片状を呈し、左右カップ１１下方に延伸結合する故、ブラジャー１０着用時、弾性片２０全面の包覆を利用し、乳房下半分が集中され、ストラップ１２による吊り上げで、弾性片２０を帯動して集中させ、胸部を更に美しく整える。弾性塑片２２の変形により、プッシュアップ効果が確実に維持され、包覆された贅肉や脂肪が活動時の動作が大きくて、元に戻ることを防止する。
【００１２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１３】
【図１】本考案の組み合わせ図である。
【図２】本考案の分解図である。
【図３】本考案の乳房外側周囲の贅肉と脂肪推入集中を示す図である。
【図４】本考案は乳房アップを示す図である。
【図５】本考案のもう一つの実施例図である。
【図６】公知の立体外観図である。
【図７】公知の使用状態図である。
【符号の説明】
【００１４】
１０  ブラジャー
１１  左右カップ
１２  ストラップ
１３  バックベルト
２０  弾性片
２１  伸張空間
２２  弾性塑片
２３  弾性帯
３０  ブラジャー
３１  カップ
３２  束帯
３３  サイドパネル
【図１】
0003126836.tif 000003
【図２】
0003126836.tif 000004
【図３】
0003126836.tif 000005
【図４】
0003126836.tif 000006
【図５】
0003126836.tif 000007
【図６】
0003126836.tif 000008
【図７】
0003126836.tif 000009